(57)【特許請求の範囲】
【請求項１】
大径部および小径部を有して形成した取付孔を有する板状部材と、
前記板状部材への取付側の面となる取付面から円筒状に突設した筒状突設部と、前記筒状突設部の突出方向に向けて前記取付面から離間した位置で該筒状突設部の外周に沿って部分的に径外方向に突設し、周方向の端部に取付面側に突出した係止突起を有する取付ガイドリブと、前記取付ガイドリブと前記取付面との間で前記取付面から前記筒状突設部の突出方向に突出した弾性突出部と、を有するハウジングの内部に光源を収容した照明ユニットと、
を有し、
前記弾性突出部は、
前記筒状突設部の中心に対称となる位置に対で設け、かつ、前記筒状突設部の外周面に沿って頂点から前記取付面に向けて前記外周面から径外方向に向けた厚みを増すように傾斜した傾斜面を有し、
前記照明ユニットを前記板状部材に取り付ける場合、前記大径部と前記取付ガイドリブとを向かい合わせて前記筒状突設部を前記取付孔に挿通した後、前記ハウジングを前記取付孔の中心を回転軸として回転することによって前記小径部が前記取付ガイドリブと前記弾性突出部との間で前記弾性突出部によって前記取付ガイドリブ側に押圧された状態で前記小径部の端部が前記係止突起と係止する
ことを特徴とする照明ユニット係止構造。
【発明の詳細な説明】
【技術分野】
【０００１】
本発明は、照明ユニットを板状部材に係止する照明ユニット係止構造に関する。
【背景技術】
【０００２】
従来、自動車の室内に設置する照明ユニットは、いわゆるブラケット等の板状部材に係止する。例えば、特許文献１に記載の照明ユニットは、大径部および小径部を有して形成した取付孔を有する板状部材と、板状部材への取付側の面となる取付面から円筒状に突設した筒状突設部と、取付面から離間した位置で筒状突設部の外周面に周方向に沿って径外方向に部分的に突設し、周方向の端部に取付面側に突出した係止突起、および、係止突起と間隔を隔てて取付面側に突出した弾性突出部を有する取付ガイドリブと、を有するハウジングの内部に光源を収容している。
【０００３】
特許文献１に記載の照明ユニットを板状部材に係止する場合、図１２に示すような、照明ユニット係止構造３００を用いる。この照明ユニット係止構造３００は、照明ユニット２２０を板状部材２１０に取り付ける場合、大径部２１０ａと取付ガイドリブ２３０とを向い合せて筒状突設部２４０を取付孔２１１に挿通した後、照明ユニット２２０を取付孔２１１の中心Ｃを回転軸として回転することによって小径部２１０ｂが取付ガイドリブ２３０と弾性突出部２３１との間で弾性突出部２３１によって取付面２５０側に押圧され、照明ユニット２２０の取付孔２１１への挿入方向でのガタツキを抑えつつ、小径部２１０ｂの端部が係止突起２３２と係止する。
【先行技術文献】
【特許文献】
【０００４】
【特許文献１】特開２０１３−２４３０５３号公報
【発明の概要】
【発明が解決しようとする課題】
【０００５】
しかしながら、特許文献１に記載の照明ユニット２２０を用いた照明ユニット係止構造３００は、弾性突出部２３１と係止突起２３２とが取付ガイドリブ２３０の同一面上に並んで配置されているため、弾性突出部２３１が小径部２１０ｂを取付面２５０側に押圧することによって、係止突起２３２と小径部２１０ｂとの係り代Ｌ（図１２（ｂ）参照）が減少し、結果的に、板状部材２１０への照明ユニット２２０の保持力が低下してしまうという問題があった。
【０００６】
本発明は、上記に鑑みてなされたものであって、照明ユニットの取り付け先となる板状部材に対する照明ユニットのガタツキを防止しつつ保持力の低下を防止することができる照明ユニット係止構造を提供することを目的とする。
【課題を解決するための手段】
【０００７】
上述した課題を解決し、目的を達成するために、本発明の請求項１に係る照明ユニット係止構造は、大径部および小径部を有して形成した取付孔を有する板状部材と、前記板状部材への取付側の面となる取付面から円筒状に突設した筒状突設部と、前記筒状突設部の突出方向に向けて前記取付面から離間した位置で該筒状突設部の外周に沿って部分的に径外方向に突設し、周方向の端部に取付面側に突出した係止突起を有する取付ガイドリブと、前記取付ガイドリブと前記取付面との間で前記取付面から前記筒状突設部の突出方向に突出した弾性突出部と、を有するハウジングの内部に光源を収容した照明ユニットと、を有し、前記弾性突出部は、前記筒状突設部の中心に対称となる位置に対で設け、かつ、前記筒状突設部の外周面に沿って頂点から前記取付面に向けて前記外周面から径外方向に向けた厚みを増すように傾斜した傾斜面を有し、前記照明ユニットを前記板状部材に取り付ける場合、前記大径部と前記取付ガイドリブとを向かい合わせて前記筒状突設部を前記取付孔に挿通した後、前記ハウジングを前記取付孔の中心を回転軸として回転することによって前記小径部が前記取付ガイドリブと前記弾性突出部との間で前記弾性突出部によって前記取付ガイドリブ側に押圧された状態で前記小径部の端部が前記係止突起と係止することを特徴とする。
【０００９】
また、本発明の請求項１に係る照明ユニット係止構造は、上記の発明において、前記弾性突出部は、前記筒状突設部の中心に対称となる位置に対で設け、かつ、前記筒状突設部の外周面に沿って頂点から前記取付面に向けて前記外周面から径外方向に向けた厚みを増すように傾斜した傾斜面を有することを特徴とする。
【発明の効果】
【００１０】
本発明の請求項１に係る照明ユニット係止構造は、前記小径部が前記取付ガイドリブと前記弾性突出部との間で前記弾性突出部によって前記取付ガイドリブ側に押圧された状態で前記小径部の端部が前記係止突起と係止し、前記弾性突出部が前記照明ユニットの前記取付孔への挿入方向におけるガタツキを防止しつつ、前記小径部の端部と前記係止突起との係代を増加する方向に前記小径部を押圧しているので、前記照明ユニットの取り付け先となる前記板状部材に対する前記照明ユニットのガタツキを防止しつつ保持力の低下を防止することができる。
【００１２】
本発明の請求項１に係る照明ユニット係止構造は、前記弾性突出部が前記照明ユニットの前記取付孔への挿入方向におけるガタツキを防止しつつ、前記小径部の端部と前記係止突起との係代を増加する方向に前記小径部を押圧しているので、前記照明ユニットの取り付け先となる前記板状部材に対する前記照明ユニットのガタツキを防止しつつ保持力の低下を防止することができ、しかも、対で設けた前記弾性突出部の傾斜面が前記照明ユニットを前記取付孔の中心に対して前記筒状突設部の中心位置を合わせるようにガイドし、前記照明ユニットをセンタリングする機能をなしているので、前記照明ユニットを前記板状部材に容易に位置決めして取り付けることができる。
【図面の簡単な説明】
【００１３】
【図１】図１は、（ａ）が本発明の実施例１に係る照明ユニット係止構造の照明ユニットを板状部材に取り付ける前の板状部材と照明ユニットとを示した斜視図であり、（ｂ）が照明ユニットを板状部材に取付完了した状態を説明するための図であり、板状部材の小径部を断面で示した図である。
【図２】図２は、図１（ｂ）に示した照明ユニット係止構造の係止突起と小径部との係止部分周辺を拡大した図である。
【図３】図３は、照明ユニットの側面図である。
【図４】図４は、（ａ）が第二カバーを外した状態の照明ユニットを取付面側から視た図であり、（ｂ）が（ａ）に示した照明ユニットの側面図である。
【図５】図５は、第一カバーの斜視図である。
【図６】図６は、照明ユニットを板状部材に取り付ける手順を示した図である。
【図７】図７は、（ａ）が本発明の実施例２に係る照明ユニット係止構造の照明ユニットを板状部材に取り付ける前の板状部材と照明ユニットとを示した斜視図であり、（ｂ）が照明ユニットを板状部材に取付完了した状態を説明するための図であり、板状部材の小径部を断面で示した図である。
【図８】図８は、図７（ｂ）に示した照明ユニット係止構造の係止突起と小径部との係止部分周辺を拡大した図である。
【図９】図９は、（ａ）が本発明の実施例３に係る照明ユニット係止構造の照明ユニットを板状部材に取り付ける前の板状部材と照明ユニットとを示した斜視図であり、（ｂ）が照明ユニットを板状部材に取付完了した状態を説明するための図であり、板状部材の小径部を断面で示した図である。
【図１０】図１０は、（ａ）が第二カバーを外した状態の照明ユニットを取付面側から視た図であり、（ｂ）が（ａ）に示した照明ユニットの側面図である。
【図１１】図１１は、（ａ）が図１０（ａ）のＡ−Ａ線断面図であり、（ｂ）が（ａ）の弾性突出部周辺を拡大した図であり、（ａ）、（ｂ）ともに小径部を仮想線図で示した図である。
【図１２】図１２は、従来技術の問題点を説明するための図である。
【発明を実施するための形態】
【００１４】
以下、図面を参照して、本発明に係る照明ユニット係止構造の好適な実施例を詳細に説明する。
【実施例１】
【００１５】
図１は、（ａ）が本発明の実施例１に係る照明ユニット係止構造１の照明ユニット２０を板状部材１０に取り付ける前の板状部材１０と照明ユニット２０とを示した斜視図であり、（ｂ）が照明ユニット２０を板状部材１０に取付完了した状態を説明するための図であり、板状部材１０の小径部１３を断面で示した図である。図２は、図１（ｂ）に示した照明ユニット係止構造１の係止突起５２ａと小径部１３との係止部分周辺を拡大した図である。図３は、照明ユニット２０の側面図である。図４は、（ａ）が第二カバー３２を外した状態の照明ユニット２０を取付面側から視た図であり、（ｂ）が（ａ）に示した照明ユニット２０の側面図である。図５は、第一カバー５０の斜視図である。
本発明の実施例１に係る照明ユニット係止構造１は、自動車の車内に照明ユニット２０を設置するため、照明ユニット２０をブラケット等の板状部材１０に取り付けることによって、照明ユニット２０を車内の所定箇所に係止するものである。
【００１６】
まず、板状部材１０について説明する。
板状部材１０は、大径部１２および小径部１３を有して形成した取付孔１１を有する。取付孔１１は、孔径を大きくするように、取付孔１１の中心Ｃに対称に対向して配置するように形成した２箇所の大径部１２と、大径部１２に比して孔径を小さくするように、取付孔１１の中心Ｃに対称に対向して配置するように形成した２箇所の小径部１３と、を有する。
すなわち、取付孔１１は、孔内周に沿って大径部１２と小径部１３とが交互に形成されている。このため、取付孔１１は、小径部１３が大径部１２に対して取付孔１１の中心Ｃに向けて迫り出すように形成され、この小径部１３が照明ユニット２０の後述する係止突起５２ａと係止するようになっている。
【００１７】
次に、照明ユニット２０について説明する。
照明ユニット２０は、ハウジング３０の内部に光源１００、および、光源１００に電気的に接続して照明ユニッ２０の外部から電力を供給する部分となる電線Ｗ等の電気接続部４０を収容している。
【００１８】
ハウジング３０は、光源１００および電気接続部４０を保持収容する収容本体部３１と、収容本体部３１の開口３１ａを塞ぐように収容本体部３１に取り付ける第一カバー５０と、第一カバー５０とともに収容本体部３１の開口３１ａを塞ぐように収容本体部３１に取り付ける第二カバー３２と、を有する。
【００１９】
収容本体部３１は、合成樹脂等の絶縁材からなり、かつ、一部の面が開口した略箱型形状をなし、開口３１ａから光源１００および電線Ｗ等の電気接続部４０を収容するようになっている。
この収容本体部３１は、光源１００を収容する部分となる第一収容部３１ｂと、図４に示すように、光源１００に接続する電気接続部４０としての電線Ｗをハウジング３０の外部に引き出すようにガイドする第二収容部３１ｃと、を有する。
【００２０】
第一カバー５０は、光源１００から出射した光を外部に誘導する後述する筒状突設部５１の筒孔を残して第一収容部３１ｂの開口を塞ぐものである。
この第一カバー５０は、筒状突設部５１と、取付ガイドリブ５２と、弾性突出部５３と、位置決め壁部５４と、を有する。
【００２１】
筒状突設部５１は、板状部材１０への取付側の面となる取付面５０ａから円筒状に突設し、収容本体部３１内の光源１００から出射した光を車内に出射するように誘導する部分である。この筒状突設部５１は、外径寸法を取付孔１１の小径部１３部分での孔径に比して僅かに小さくなるように調整している。
【００２２】
取付ガイドリブ５２は、筒状突設部５１の突出方向に向けて取付面５０ａから離間した位置で筒状突設部５１の外周に沿って部分的に径外方向に突設し、周方向の端部に取付面５０ａ側に突出した係止突起５２ａを有する。
この取付ガイドリブ５２は、周方向の寸法および配置を大径部１２に対応するように筒状突設部５１の外周面５１ａに沿って２箇所に設けている。
また、取付ガイドリブ５２は、大径部１２に対応して筒状突設部５１の軸を中心とした外径寸法を取付孔１１の大径部１２部分での孔径に比して僅かに小さくなるように調整している。
また、取付ガイドリブ５２は、周方向の長さを大径部１２の周方向の長さより僅かに小さくなるように調整している。
【００２３】
係止突起５２ａは、照明ユニット２０を板状部材１０へ取り付けるために照明ユニット２０を取付孔１１の中心Ｃを回転軸として回転することよって、小径部１３の周方向の一端部から小径部１３にのりあげ、小径部１３の周方向の他端側で小径部１３に係止する。
【００２４】
弾性突出部５３は、取付ガイドリブ５２と取付面５０ａとの間で取付面５０ａから筒状突設部５１の突出方向に突出した部分である。
この実施例１では、弾性突出部５３は、係止突起５２ａから位置決め壁部５４までの筒状突設部５１の周方向で係止突起５２ａおよび位置決め壁部５４のそれぞれから離間した位置に設けている。
【００２５】
位置決め壁部５４は、照明ユニット２０の取付孔１１の中心Ｃを回転軸とする回転で小径部１３が突き当たることによって、照明ユニット２０の回転による取付完了位置を定める壁である。
この位置決め壁部５４は、取付ガイドリブ５２の係止突起５２ａを設けた端部とは逆側の端部に、取付ガイドリブ５２と取付面５０ａとの間で筒状突設部５１の外周面５１ａから径外方向に突設した壁である。
【００２６】
第二カバー３２は、第二収容部３１ｃの開口を塞ぐものである。この第二カバー３２を第二収容部３１ｃから取り外すことによって、電気接続部４０の第二収容部３１ｃへの組み付け作業、および、メンテナンス作業を実施し易いようになっている。
【００２７】
このような照明ユニット係止構造１は、図２に示すように、小径部１３が取付ガイドリブ５２と弾性突出部５３との間で弾性突出部５３によって取付ガイドリブ５２側に押圧されるので、小径部１３と係止突起５２ａとの係代Ｌをできるだけ大きくするようになっている。
【００２８】
次に、図６を用いて照明ユニット２０を板状部材１０に取り付ける手順について説明する。
図６は、照明ユニットを板状部材に取り付ける手順を示した図である。
まず、作業者は、取付ガイドリブ５２と大径部１２とを向かい合わせながら筒状突設部５１を取付孔１１に挿通する（図６（ａ）参照）。これにより、取付ガイドリブ５２が板状部材１０の取付孔１１への挿入側の面から逆側の面に抜け出す。この状態では、小径部１３が筒状突設部５１の突出方向で取付ガイドリブ５２と取付面５０ａとの間に位置する。このため、照明ユニット２０を取付孔の中心を回転軸として回転すると小径部が取付ガイドリブと取付面との間に入り込むことができる状態になっている。
【００２９】
その後、作業者は、照明ユニットを取付孔１１の中心Ｃを回転軸として回転する（図６（ｂ）参照）。これにより、係止突起５２ａが小径部１３にのり上げた状態で照明ユニット２０が回転開始する。ここで、小径部１３の一端が位置決め壁部５４に突き当たるまでの照明ユニット２０の回転の途中で、係止突起５２ａがのり上げた面とは逆側の小径部１３の面が弾性突出部５３にのり上げる。
【００３０】
その後、作業者は、小径部１３の一端が位置決め壁部５４に突き当てられるまで照明ユニット２０を回転し、照明ユニット２０の板状部材１０への取り付け作業が完了する（図６（ｃ）参照）。このように小径部１３の一端が位置決め壁部５４に突き当たるまで照明ユニット２０を回転すると、係止突起５２ａが小径部１３をのり越えて小径部１３に係止する。
また、小径部１３は、取付ガイドリブ５２と弾性突出部５３との間で弾性突出部５３によって取付ガイドリブ５２側に押圧された状態となる。
【００３１】
本発明の実施例１に係る照明ユニット係止構造１は、小径部１３が取付ガイドリブ５２と弾性突出部５３との間で弾性突出部５３によって取付ガイドリブ５２側に押圧された状態で小径部１３の端部１３ａが係止突起５２ａと係止し、弾性突出部５３が照明ユニット２０の取付孔１１への挿入方向におけるガタツキを防止しつつ、小径部１３の端部１３ａと係止突起５２ａとの係代を増加する方向に小径部１３を押圧しているので、照明ユニット２０の取り付け先となる板状部材１０に対する照明ユニット２０のガタツキを防止しつつ保持力の低下を防止することができる。
【実施例２】
【００３２】
次に、図７および図８を用いて本発明の実施例２に係る照明ユニット係止構造２ついて説明する。
図７は、（ａ）が本発明の実施例２に係る照明ユニット係止構造２の照明ユニット６０を板状部材１０に取り付ける前の板状部材１０と照明ユニット６０とを示した斜視図であり、（ｂ）が照明ユニット６０を板状部材１０に取付完了した状態を説明するための図であり、板状部材１０の小径部１３を断面で示した図である。
図８は、図７（ｂ）に示した照明ユニット係止構造２の係止突起５２ａと小径部１３との係止部分周辺を拡大した図である。
本発明の実施例２に係る照明ユニット係止構造２は、弾性突出部５３が位置決め壁部５４の近傍から位置決め壁部５４に向けて照明ユニット６０の回転方向に沿って厚みを増加するように傾斜した傾斜面６１ａを有する点で、実施例１の照明ユニット係止構造１と異なる。
なお、その他の構成は実施例１と同様であり、実施例１と同一構成部分には同一符号を付している。
【００３３】
実施例２の照明ユニット係止構造２は、図８に示すように、弾性突出部６１が小径部１３を取付ガイドリブ５２側に押圧することによって、照明ユニット０の取付孔１１への挿入方向におけるガタツキを防止しつつ保持力の低下を防止している。
また、弾性突出部６１の傾斜面６１ａが、弾性突出部６１による摩擦抵抗を少なく抑えつつ小径部１３を位置決め機能をなす位置決め壁部５４まで誘導するようになっている。
【００３４】
本発明の実施例２に係る照明ユニット係止構造２は、実施例１の照明ユニット係止構造１と同様に、弾性突出部６１が照明ユニット６０の取付孔１１への挿入方向におけるガタツキを防止しつつ、小径部１３の端部１３ａと係止突起５２ａとの係代を増加する方向に小径部１３を押圧しているので、照明ユニット６０の取り付け先となる板状部材１０に対する照明ユニット６０のガタツキを防止しつつ保持力の低下を防止することができ、しかも、照明ユニット６０を板状部材１０に容易に位置決めして取り付けることができる。
【実施例３】
【００３５】
次に、図９−図１１を用いて本発明の実施例３に係る照明ユニット係止構造３ついて説明する。
図９は、（ａ）が本発明の実施例３に係る照明ユニット係止構造３の照明ユニット７０を板状部材１０に取り付ける前の板状部材１０と照明ユニット７０とを示した斜視図であり、（ｂ）が照明ユニット７０を板状部材１０に取付完了した状態を説明するための図であり、板状部材１０の小径部１３を断面で示した図である。図１０は、（ａ）が第二カバー３２を外した状態の照明ユニット７０を取付面５０ａ側から視た図であり、（ｂ）が（ａ）に示した照明ユニット７０の側面図である。図１１は、（ａ）が図１０（ａ）のＡ−Ａ線断面図であり、（ｂ）が（ａ）の弾性突出部７１周辺を拡大した図であり、（ａ）、（ｂ）ともに小径部１３を仮想線図で示した図である。
本発明の実施例３に係る照明ユニット係止構造３は、弾性突出部７１を筒状突設部５１の中心に対称となる位置に対で設け、かつ、弾性突出部７１が筒状突設部５１の外周面５１ａに沿って頂点から取付面５０ａに向けて外周面５１ａから径外方向に向けた厚みを増すように傾斜した傾斜面７１ａを有する点で、実施例１の照明ユニット係止構造と異なる。
なお、その他の構成は実施例１と同様であり、実施例１と同一構成部分には同一符号を付している。
【００３６】
この実施例３の照明ユニット係止構造３は、図１１に示すように、一対の弾性突出部７１の各弾性突出部７１が小径部１３を取付ガイドリブ５２側に押圧することによって、照明ユニット７０の取付孔１１への挿入方向におけるガタツキを防止しつつ保持力の低下を防止している。
【００３７】
また、一対の弾性突出部７１の傾斜面７１ａが照明ユニット７０を取付孔１１の中心Ｃに対して筒状突設部５１の中心位置を合わせるようにガイドするようになっている。すなわち、一対の弾性突出部７１が照明ユニット７０を取付孔１１に対してセンタリングする機能をなしている。
【００３８】
なお、本実施例３に係る照明ユニット係止構造３は、弾性突出部７１を一対設けるものを例示したが、一対に限らず、筒状突設部５１の中心に対称となる位置に複数対設けるようにしても構わない。
【００３９】
本発明の実施例３に係る照明ユニット係止構造３は、実施例１の照明ユニット係止構造１と同様に、弾性突出部７１が照明ユニット７０の取付孔１１への挿入方向におけるガタツキを防止しつつ、小径部１３の端部１３ａと係止突起５２ａとの係代を増加する方向に小径部１３を押圧しているので、照明ユニット７０の取り付け先となる板状部材１０に対する照明ユニット７０のガタツキを防止しつつ保持力の低下を防止することができ、しかも、照明ユニット７０を板状部材１０に容易に位置決めして取り付けることができる。
【００４０】
本発明の実施例１、２、３に係る照明ユニット係止構造１、２、３は、ハウジング３０が、収容本体部３１と、第一カバー５０と、第二カバー３２と、を有するものを例示したが、これに限らず、ハウジング３０が筒状突設部５１と、取付ガイドリブ５２と、弾性突出部５３、６１、７１と、を有していればよい。
【００４１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４２】
１、２、３    照明ユニット係止構造
１０          板状部材
１１          取付孔
１２          大径部
１３          小径部
１３ａ        端部
２０、６０、７０  照明ユニット
３０          ハウジング
３１          収容本体部
３１ａ        開口
３１ｂ        第一収容部
３１ｃ        第二収容部
３２          第二カバー
５０          第一カバー
５０ａ        取付面
５１          筒状突設部
５１ａ        外周面
５２          取付ガイドリブ
５２ａ        係止突起
５３、６１、７１  弾性突出部
５４          位置決め壁部
４０          電気接続部
６１ａ、７１ａ  傾斜面
１００        光源
Ｃ            中心
Ｗ            電線
【図１】
0006406961.tif 000002
【図２】
0006406961.tif 000003
【図３】
0006406961.tif 000004
【図４】
0006406961.tif 000005
【図５】
0006406961.tif 000006
【図６】
0006406961.tif 000007
【図７】
0006406961.tif 000008
【図８】
0006406961.tif 000009
【図９】
0006406961.tif 000010
【図１０】
0006406961.tif 000011
【図１１】
0006406961.tif 000012
【図１２】
0006406961.tif 000013